(57)【要約】【課題】  施解錠状態を把握するための標示部材が容易に交換可能なサムターンを得、視認性の向上、色選択自由度の向上を図る。【解決手段】  サムターン１００において、一端が錠箱に接続され他端が開閉体の表面から垂直に突出されて回動自在となるサムターン軸３と、サムターン軸３の他端に固設される摘み部材７と、摘み部材７の外周に凹設され摘み部材７の両側部１３でサムターン軸３の軸線に沿う一対の側面溝１７、及び一対の側面溝１７を連結する連結溝１９からなる略Ｃ字形状の収容部１１と、バネ性を有し収容部１１に着脱自在に嵌合され摘み部材７と異なる色に着色された略Ｃ字形状の標示部材２５と、摘み部材７と標示部材２５とに亘って設けられ標示部材２５を摘み部材７に弾性的に係止する係止手段３１とを設けた。【選択図】      図２
2005282227.tif 000002
【特許請求の範囲】
【請求項１】
開閉体に設けられた錠箱へ施解錠操作力を入力するサムターンであって、
一端が前記錠箱に接続され他端が前記開閉体の表面から垂直に突出されて回動自在となるサムターン軸と、
該サムターン軸の前記他端に固設される摘み部材と、
該摘み部材の外周に凹設され該摘み部材の両側部で前記サムターン軸の軸線に沿う一対の側面溝、及び該一対の側面溝を連結する連結溝からなる略Ｃ字形状の収容部と、
バネ性を有し該収容部に着脱自在に嵌合され前記摘み部材と異なる色に着色された略Ｃ字形状の標示部材と、
前記摘み部材と該標示部材とに亘って設けられ該標示部材を前記摘み部材に弾性的に係止する係止手段と、
を具備したことを特徴とするサムターン。
【請求項２】
前記標示部材の表面が、前記摘み部材の表面に対して段差を生じさせない連続面で形成されたことを特徴とする請求項１記載のサムターン
【請求項３】
前記標示部材が、合成樹脂材からなることを特徴とする請求項１又は２記載のサムターン。
【発明の詳細な説明】
【技術分野】
【０００１】
本発明は、扉等の開閉体から屋内側へ回動自在に突出され、開閉体に内設された錠箱に対して施解錠操作力を入力するサムターンに関する。
【背景技術】
【０００２】
例えば扉などの開閉体には錠箱が内蔵され、錠箱には、開閉体の屋外側に露出するシリンダー錠と、開閉体の屋内側に露出する回転式のサムターンとが接続されている。錠箱には、ロック部材である例えばデッドボルトが開閉体の端面（木口）から進退自在に設けられている。錠箱は、屋外側に露出したシリンダー錠の鍵孔に、合鍵（キー）が挿入されて回転操作されることによって、開閉体の木口よりデッドボルトを進退させ、開口枠体（引戸枠又は扉枠）に設けたストライクに対して施解錠を可能にする。また、屋内側からは、サムターンの摘みが回転操作されるのみで、デッドボルトが進退され、開閉体の施解錠が簡便に行われる。
【０００３】
一般的にサムターンは、水平又は垂直の向きが分かり易い形状、例えば板状に形成されるか、或いは水平又は垂直の向きが分かり難い略円柱形状等のものでは印刷や刻印による標示が付されている。これにより、サムターンは、屋内側から目視された際、水平又は垂直に配置されているかが分り、その結果、錠箱の施解錠状態を把握可能にしていた。
【発明の開示】
【発明が解決しようとする課題】
【０００４】
しかしながら、板状等の形状によって水平又は垂直の向きを視認させる従来のサムターンは、円板状の基台等に摘み部材が突設されていると、摘み部材と基台とが一体となって見え、水平又は垂直の向きが視認し難い問題があった。また、印刷や刻印によって標示が付されたサムターンでは、経年劣化によって標示が退色や変色し、視認性が低下する問題があった。そして、これら構造的な欠点や、着色上の不具合を解消しようとしても、従来のサムターンでは施錠装置ごとの交換しか対応の手立てがなかった。
【０００５】
本発明は上記状況に鑑みてなされたもので、施解錠状態を把握するための標示部材の視認性を向上させるとともに、この標示部材を容易に交換可能とするサムターンを提供することを目的とする。
【課題を解決するための手段】
【０００６】
次に、上記の課題を解決するための手段を、実施の形態に対応する図面を参照して説明する。
本発明の請求項１記載のサムターン１００（２００又は３００）は、開閉体１に設けられた錠箱へ施解錠操作力を入力するサムターン１００（２００又は３００）であって、
一端が前記錠箱に接続され他端が前記開閉体１の表面１ａから垂直に突出されて回動自在となるサムターン軸３と、
該サムターン軸の前記他端に固設される摘み部材７（４１又は５１）と、
該摘み部材７（４１又は５１）の外周に凹設され該摘み部材７（４１又は５１）の両側部１３で前記サムターン軸３の軸線１５に沿う一対の側面溝１７，１７、及び該一対の側面溝１７，１７を連結する連結溝１９からなる略Ｃ字形状の収容部１１（４３又は５５）と、
バネ性を有し該収容部１１（４３又は５５）に着脱自在に嵌合され前記摘み部材７（４１又は５１）と異なる色に着色された略Ｃ字形状の標示部材２５（４５又は５７）と、
前記摘み部材７（４１又は５１）と該標示部材２５（４５又は５７）とに亘って設けられ該標示部材２５（４５又は５７）を前記摘み部材７（４１又は５１）に弾性的に係止する係止手段３１と、
を具備したことを特徴とする。
【０００７】
このサムターン１００（２００又は３００）では、摘み部材７（４１又は５１）が開閉体１の屋内側、すなわち、正面側から目視されると、標示部材２５（４５又は５７）が摘み部材７（４１又は５１）と異なる色で直線状に見え、錠箱の施解錠状態に応じて、標示部材２５（４５又は５７）が水平又は垂直に配置されることで、摘み部材７（４１又は５１）の向き（施錠回転姿勢又は解錠回転姿勢）が明確に把握可能となる。また、標示部材２５（４５又は５７）が収容部１１（４３又は５５）に対して着脱自在となることで、容易に交換が可能となる。
【０００８】
請求項２記載のサムターン１００（２００又は３００）は、前記標示部材２５（４５又は５７）の表面が、前記摘み部材７（４１又は５１）の表面に対して段差を生じさせない連続面で形成されたことを特徴とする。
【０００９】
このサムターン１００（２００又は３００）では、標示部材２５（４５又は５７）が収容部１１（４３又は５５）に装着されると、摘み部材７（４１又は５１）の表面と標示部材２５（４５又は５７）の表面とが段差のない連続表面となり、違和感の生じない把持が可能となり、操作性が良好となる。また、段差の生じないことによって、不正回転操作に用いられる棒や針金の引っ掛かりが防止され、防犯性も高まる。さらに、標示部材２５（４５又は５７）が摘み部材７（４１又は５１）の表面から突出された構造で生じやすい衝突による破損や、逆に標示部材２５（４５又は５７）が凹んだ構造での汚れの堆積も防止される。
【００１０】
請求項３記載のサムターン１００（２００又は３００）は、前記標示部材２５（４５又は５７）が、合成樹脂材からなることを特徴とする。
【００１１】
このサムターン１００（２００又は３００）では、標示部材２５（４５又は５７）が樹脂材料によって一体に成形可能となり、バネ性を備えた精度の高い標示部材２５（４５又は５７）が、自由な形状でかつ安価に大量製造可能となる。また、成形前の樹脂材料に顔料等が添加されることで着色が可能となり、塗布の場合に比べ、退色や変色のしにくい着色が可能となる。
【発明の効果】
【００１２】
本発明に係るサムターンによれば、摘み部材の外周に略Ｃ字形状の収容部を凹設し、この収容部に対して、バネ性を有し摘み部材と異なる色に着色された略Ｃ字形状の標示部材を、係止手段によって弾性的に係止したので、摘み部材を正面視すると、標示部材が摘み部材と異なる色で直線状に見え、この標示部材が水平又は垂直に配置されることで、摘み部材の向き（施錠回転姿勢又は解錠回転姿勢）が明確に把握可能となり、施解錠状態の視認性を高めることができる。また、標示部材は、着脱自在であるので容易に交換でき、購入後であっても、好みの色や、色弱者の場合にはより認識しやすい色への簡単な変更が可能となり、色選択の自由度を向上させることができる。
【発明を実施するための最良の形態】
【００１３】
以下、本発明に係るサムターンの好適な実施の形態を図面を参照して詳細に説明する。
図１は本発明に係るサムターンの第１の実施の形態の分解平面図、図２は図１に示したサムターンの分解斜視を（ａ）、標示部材装着状態の斜視を（ｂ）に表した説明図である。
本実施の形態によるサムターン１００は、開閉体である扉１に設けられた図示しない錠箱へ施解錠操作力を入力するものである。サムターン１００は、サムターン軸３を有する。サムターン軸３は、一端が錠箱に接続され、他端が扉１の屋内側の表面１ａから垂直に突出されて回動自在となる。このサムターン軸３は、錠箱に固定される図示しない筒体の内部に回動自在に支持される。この筒体は、先端が平坦な円錐形状の化粧リング５によって覆われている。
【００１４】
サムターン軸３の他端には摘み部材７が固設される。本実施の形態において、摘み部材７は、図２に示すように、長円板を短径方向で分割した略半円形状に形成され、短径方向の中央部がサムターン軸３に固定されている。また、表裏面には指先での把持性を良好にする凹部９が形成される。この摘み部材７の表裏面に挟まれる外周（厚み方向に延在する面）は、半円弧とこの半円弧の両端に連なる略平行な直線部とからなる。
【００１５】
この摘み部材７の外周には略Ｃ字形状の収容部１１が形成される。収容部１１は、両側部１３，１３に凹設され、サムターン軸３の軸線１５に沿う一対の側面溝１７，１７、及びこの一対の側面溝１７，１７を連結する連結溝１９からなる。収容部１１は、略Ｃ字形状の収容空間が形成されればよく、その収容空間外に、図１に示す摘み部材７の内部構造部２１が臨むものであってもよい。なお、図１中２３は、摘み部材７をサムターン軸３に固定するためのビスを表す。
【００１６】
この収容部１１には略Ｃ字形状の標示部材２５が着脱自在に嵌合されるようになっている。標示部材２５は、バネ性を有し、摘み部材７と異なる色に着色されている。着色は、一色であってもよく、標示部材２５の円弧方向の略中央部を境に、左右が異なる色で２色に色分けされてもよい。このような色分けを行うことで、摘み部材７が水平又は垂直に姿勢された際の、上下又は左右を判別し易くすることができる。
【００１７】
また、着色には、蛍光塗料を用いることができ、反射光の強度を高めて視認性を向上させることができる。また、着色には蓄光材料を用いることができ、この場合には暗所での視認性を向上させることができる。
【００１８】
本実施の形態では、標示部材２５は、合成樹脂材、例えばポリカーボネート樹脂などからなる。このように合成樹脂材が用いられることで、一体成形が可能となり、バネ性を備えた精度の高い標示部材２５が、自由な形状でかつ安価に大量製造可能となる。また、成形前の樹脂材料に顔料（蛍光塗料、蓄光材料を含む）等が添加されることで着色が可能となり、塗布の場合に比べ、退色や変色のしにくい着色が可能となる。なお、標示部材２５は、合成樹脂材に代えて金属材料によって形成されてもよい。
【００１９】
標示部材２５は、表面が、摘み部材７の表面に対して段差を生じさせない連続面で形成される。図２（ｂ）に示すように、標示部材２５が収容部１１に装着されると、摘み部材７の表面と標示部材２５の表面とが段差のない連続表面となり、違和感の生じない把持が可能となり、操作性が良好となる。また、段差の生じないことによって、不正回転操作に用いられる棒や針金の引っ掛かりが防止され、防犯性も高まる。さらに、標示部材２５が摘み部材７の表面から突出された構造で生じやすい衝突による破損や、逆に標示部材２５が凹んだ構造での汚れの堆積も防止可能となる。
【００２０】
なお、本実施の形態では、収容部１１に臨む内部構造部２１の先端部には凸部２７が形成されている。標示部材２５の円弧内側にはこの凸部２７に係合する嵌合部２９が形成されている。
摘み部材７と標示部材２５には、標示部材２５を摘み部材７に弾性的に係止する係止手段３１が設けられている。係止手段３１は、例えば標示部材２５の両端に突設した一対の爪部３３，３３と、内部構造部２１の基部両側に設けた一対の係止段部３５，３５とから構成できる。
【００２１】
標示部材２５は、摘み部材７の正面側から、両端で内部構造部２１を挟むように収容部１１へ挿入されると、爪部３３，３３が係止段部３５，３５に当り、さらに押し込まれることで、弾性変形して開脚され、爪部３３，３３が係止段部３５，３５を乗り越え、弾性復帰力によって再び閉脚されることで、係止段部３５，３５に係止される。脱着の際には、一方の爪部３３をドライバ等の工具等を用いて係止段部３５から離反させれば、係止が解除される。これにより、容易な着脱が可能となっている。
【００２２】
このサムターン１００では、摘み部材７が扉１の屋内側、すなわち、正面側から目視されると、標示部材２５が摘み部材７と異なる色で直線状に見え、錠箱の施解錠状態に応じて、標示部材２５が水平又は垂直に配置されることで、摘み部材７の向き（施錠回転姿勢又は解錠回転姿勢）が明確に把握可能となる。また、標示部材２５が収容部１１に対して着脱自在となることで、容易に交換が可能となる。
【００２３】
したがって、このサムターン１００によれば、摘み部材７の外周に略Ｃ字形状の収容部１１を凹設し、この収容部１１に対して、バネ性を有し摘み部材７と異なる色に着色された略Ｃ字形状の標示部材２５を、係止手段３１によって弾性的に係止したので、摘み部材７を正面視すると、標示部材２５が摘み部材７と異なる色で直線状に見え、この標示部材２５が水平又は垂直に配置されることで、摘み部材７の向き（施錠回転姿勢又は解錠回転姿勢）が明確に把握可能となり、施解錠状態の視認性を高めることができる。また、標示部材２５は、着脱自在であるので容易に交換でき、購入後であっても、好みの色や、周囲のデザイン，配色に合せた色、色弱者の場合にはより認識しやすい色への簡単な変更が可能となり、色選択の自由度を向上させることができる。
【００２４】
次に、本発明に係るサムターンの第２の実施の形態を説明する。
図３は第２の実施の形態に係るサムターンの分解斜視を（ａ）、標示部材装着状態の斜視を（ｂ）に表した説明図である。なお、図１，図２に示した部材と同一の部材には同一の符号を付すものとする。
このサムターン２００は、摘み部材４１が略四角形に形成される。摘み部材４１の表裏面に挟まれる外周（厚み方向に延在する面）には、略Ｃ字形状の収容部４３が形成される。この収容部４３には略Ｃ字形状の標示部材４５が着脱自在に嵌合される。標示部材４５は、バネ性を有し、摘み部材４１と異なる色に着色されている。
【００２５】
この標示部材４５も、表面が、摘み部材４１の表面に対して段差を生じさせない連続面で形成される。図３（ｂ）に示すように、標示部材４５が収容部４３に装着されると、摘み部材４１の表面と標示部材２５の表面とが段差のない連続表面となり、違和感の生じない把持が可能となり、操作性が良好となる。
【００２６】
したがって、このサムターン２００によれば、上記のサムターン１００と同様、摘み部材４１を正面視すると、標示部材４５が摘み部材４１と異なる色で直線状に見え、この標示部材４５が水平又は垂直に配置されることで、摘み部材４１の向き（施錠回転姿勢又は解錠回転姿勢）が明確に把握可能となり、施解錠状態の視認性を高めることができる。また、標示部材４５は、着脱自在であるので容易に交換でき、購入後であっても、好みの色や、サムターン周囲のデザインやカラーリングに合せた色、色弱者の場合にはより認識しやすい色への簡単な変更が可能となり、色選択の自由度を向上させることができる。
【００２７】
次に、本発明に係るサムターンの第３の実施の形態を説明する。
図４は第３の実施の形態に係るサムターンの分解斜視を（ａ）、標示部材装着状態の斜視を（ｂ）に表した説明図である。なお、図１，図２に示した部材と同一の部材には同一の符号を付すものとする。
このサムターン３００は、摘み部材５１の表裏面が上下方向に突出する湾曲面５３で形成され、平面視が四角形で、正面視が略楕円形状に形成される。摘み部材５１の表裏面に挟まれる外周（厚み方向に延在する面）には、略Ｃ字形状の収容部５５が形成される。この収容部５５には略Ｃ字形状の標示部材５７が着脱自在に嵌合される。標示部材５７は、バネ性を有し、摘み部材５１と異なる色に着色されている。
【００２８】
この標示部材５７も、表面が、摘み部材５１の表面に対して段差を生じさせない連続面で形成される。図４（ｂ）に示すように、標示部材５７が収容部５５に装着されると、摘み部材５１の表面と標示部材５７の表面とが段差のない連続表面となり、違和感の生じない把持が可能となり、操作性が良好となる。
【００２９】
したがって、このサムターン３００によれば、上記のサムターン１００と同様、摘み部材５１を正面視すると、標示部材５７が摘み部材５１と異なる色で直線状に見え、この標示部材５７が水平又は垂直に配置されることで、摘み部材５１の向き（施錠回転姿勢又は解錠回転姿勢）が明確に把握可能となり、施解錠状態の視認性を高めることができる。また、標示部材５７は、着脱自在であるので容易に交換でき、購入後であっても、好みの色や、周囲のデザイン等に合せた色、色弱者の場合にはより認識しやすい色への簡単な変更が可能となり、色選択の自由度を向上させることができる。
【００３０】
なお、上述した第１，第２の実施の形態では、サムターン１００，２００の摘み部材７，４１の形状を、それぞれ略半円板状，略四角板状に形成した例として、その形状についてのみ説明をしたが、図５（ａ），（ｂ）に示すように、摘み部材７，４１の表面及び又は裏面に押しボタン６１が配設される構造である防犯サムターン４００，５００に対しても上記構成を適用可能であり、上述した標示部材２５，４５が設けられる構成とし、標示部材を容易に交換でき、好みの色等、色選択の自由度を持たせる構成としても良い。
【図面の簡単な説明】
【００３１】
【図１】本発明に係るサムターンの第１の実施の形態の分解平面図である。
【図２】図１に示したサムターンの分解斜視を（ａ）、標示部材装着状態の斜視を（ｂ）に表した説明図である。
【図３】第２の実施の形態に係るサムターンの分解斜視を（ａ）、標示部材装着状態の斜視を（ｂ）に表した説明図である。
【図４】第３の実施の形態に係るサムターンの分解斜視を（ａ）、標示部材装着状態の斜視を（ｂ）に表した説明図である。
【図５】他の実施の形態に係るサムターンの斜視を（ａ）、（ｂ）に表した説明図である。
【符号の説明】
【００３２】
１…開閉体（扉）
１ａ…開閉体の表面
３…サムターン軸
７，４１，５１…摘み部材
１１，４３，５５…収容部
１３…摘み部材の両側部
１５…軸線
１７…側面溝
１９…連結溝
２５，４５，５７…標示部材
３１…係止手段
１００，２００，３００，４００，５００…サムターン
【図１】
2005282227.tif 000003
【図２】
2005282227.tif 000004
【図３】
2005282227.tif 000005
【図４】
2005282227.tif 000006
【図５】
2005282227.tif 000007